(57)【要約】【課題】前後一対の間口方向のメインビーム間に奥行き方向のサブビームを間口方向適当間隔おきに架設して成る棚フレームの強度を、コストを押えながら高めること。【解決手段】メインビーム３ａ，３ｂには、その中間高さ位置で内側に突出する水平板部１６ｂとこの水平板部の内側辺から垂下する垂直板部１６ａが長さ方向に沿って形成され、サブビーム４は、両側板部５，６の長さ方向の両端に、メインビーム３ａ，３ｂの水平板部１６ｂ上に載置される突出部１０，１１と、この突出部１０，１１の下側で当該両側板部５，６を互に重なるように折曲させて形成され且つメインビーム３ａ，３ｂの前記垂直板部１６ａに隣接する重なり板部１２が形成され、この重なり板部１２がメインビーム３ａ，３ｂの垂直板部１６ａに、これらを水平に貫通する固定具（ボルトナット２０，２１）により締結された構成。【選択図】図４
2014221143.tif 000002
【特許請求の範囲】
【請求項１】
間口方向に長い前後一対のメインビーム間に、奥行き方向に沿ったサブビームを間口方向適当間隔おきに架設して成るラックの棚フレームにおいて、メインビームには、その中間高さ位置で内側に突出する水平板部とこの水平板部の内側辺から垂下する垂直板部とが長さ方向に沿って形成され、サブビームは、全長にわたって下側解放の門形断面構造のものであって、その両側板部の長さ方向の両端には、メインビームの前記水平板部上に載置される突出部と、この突出部の下側で当該両側板部を互に重なるように折曲させて形成され且つメインビームの前記垂直板部に隣接する重なり板部が形成され、この重なり板部がメインビームの前記垂直板部に、これらを水平に貫通する固定具により締結されている、ラックの棚フレーム構造。
【請求項２】
サブビームは、その門形断面における上端部が、上窄まりの台形部に形成されている、請求項１に記載のラックの棚フレーム構造。
【請求項３】
サブビームの前記突出部は、その高さの中間位置に、当該サブビームの前記上端台形部の下端のサブビーム長さ方向に沿った折曲部を含むように形成されている、請求項２に記載のラックの棚フレーム構造。
【請求項４】
メインビームは、前記水平板部上に支持されるサブビームの前記突出部の上に被さる天板部を備え、この天板部と前記水平板部との間にサブビームの前記突出部を内側から差し込み可能に構成され、メインビームの前記垂直板部とサブビームの前記重なり板部とが前記固定具により締結されたとき、サブビームの前記突出部上にメインビームの前記天板部の先端部が接近しているように構成されている、請求項１〜３の何れか１項に記載のラックの棚フレーム構造。
【発明の詳細な説明】
【技術分野】
【０００１】
本発明は、ラックの棚フレーム、即ち、間口方向に長い前後一対のメインビーム間に、奥行き方向に沿ったサブビームを間口方向適当間隔おきに架設して成る棚フレームの構造に関するものである。
【背景技術】
【０００２】
この種のラックの棚フレーム構造として特許文献１に記載されたものは、全長にわたって下側解放の門形断面構造のサブビームの長さ方向の両端に、当該サブビームの左右両側板部で形成された突出部と、これら左右一対の突出部の先端から下向きに折曲連設された左右一対の係止片とから成る被支持係合部を設け、メインビームには、サブビームの前記左右一対の突出部を支持する水平板部と、前記左右一対の係止片が上から下向きに嵌合する左右一対の係止孔とから成る支持係合部を設けたものである。この特許文献１に記載の構成では、サブビームの両端の被支持係合部を、メインビームの前記水平板部の上側に差し込んだ状態で下向きに降ろすことで、サブビーム側の左右一対の係止片をメインビーム側の左右一対の係止孔に嵌合させて両者を互いに位置決めした状態で、サブビーム側の左右一対の突出部をメインビーム側の水平板部で支持する構成となっている。又、特許文献１に記載されたものは、メインビーム側の垂直板部にサブビームの両端に形成された垂直板部を重ねて、この両者を水平方向に貫通するボルトナットにより締結する構成となっている。
【先行技術文献】
【特許文献】
【０００３】
【特許文献１】特開平１１−２９０１３９号公報
【特許文献２】実公昭６０−２８４０号公報
【発明の概要】
【発明が解決しようとする課題】
【０００４】
上記特許文献１に記載されたラックの棚フレーム構造では、メインビーム側の水平板部に対するサブビーム側の突出部の水平二次元方向の相対移動は、前記左右一対の係止片と左右一対の係止孔との上下方向の嵌合により阻止出来るが、メインビームに対するサブビーム両端部の浮き上がりを防止することが出来ない。一方、特許文献２に記載された構成では、メインビームに対しサブビーム両端部を三次元方向に関して完全に位置決め出来るが、サブビームに作用する荷重を、メインビームとサブビームとを互いに締結する水平方向のボルトナットの剪断応力を以て受け止めることになる。しかも、サブビームがその長さ方向と平行な前記ボルトナットの軸心の周りに回転するのを、メインビームとサブビームとに設けられる角形ボルト孔とこれに嵌合する角根付きボルトとで阻止出来るように構成しなければならず、大荷重物を受けるラックの棚フレーム構造としては活用出来ない。
【課題を解決するための手段】
【０００５】
本発明は、上記のような従来の問題点を解消することのできるラックの棚フレーム構造を提案するものであって、本発明に係るラックの棚フレーム構造は、後述する実施例との関係を理解し易くするために、当該実施例の説明において使用した参照符号を括弧付きで付して示すと、間口方向に長い前後一対のメインビーム(3a,3b)間に、奥行き方向に沿ったサブビーム(4)を間口方向適当間隔おきに架設して成るラックの棚フレーム(2)において、メインビーム(3a,3b)には、その中間高さ位置で内側に突出する水平板部(16b)とこの水平板部の内側辺から垂下する垂直板部(16a)が長さ方向に沿って形成され、サブビーム(4)は、全長にわたって下側解放の門形断面構造のものであって、その両側板部(5,6)の長さ方向の両端には、メインビーム(3a,3b)の前記水平板部(16b)上に載置される突出部(10,11と、この突出部(10,11)の下側で当該両側板部(5,6)を互に重なるように折曲させて形成され且つメインビーム(3a,3b)の前記垂直板部(16a)に隣接する重なり板部(12)が形成され、この重なり板部(12)がメインビーム(3a,3b)の前記垂直板部(16a)に、これらを水平に貫通する固定具（ボルトナット(20,21)）により締結された構成になっている。
【発明の効果】
【０００６】
上記本発明の構成によれば、このサブビーム両端の左右一対の突出部がメインビーム側の水平板部上に支持されることによって、サブビームに作用する荷重は、これらメインビームとサブビームとを締結する固定具に作用させることなく、前記突出部を介してメインビーム側の水平板部に受け持たせることが出来る。しかもメインビームとサブビームとを締結する固定具の存在により、メインビームに対してサブビーム両端部を三次元方向に関して完全に位置決め出来ると共に、当該固定具の軸心の周りにサブビームが回転するのを、サブビーム側の左右一対の突出部とメインビーム側の水平板部との当接により、角形ボルト孔と角根付きボルトとに頼る場合よりも確実且つ強力に防止することが出来るので、大荷重物を支持するラックの棚フレームとしても容易に活用することが出来る。
【０００７】
更に、本発明の構成によれば、サブビームの両端部において当該サブビームの左右両側板部を互いに連結一体化すると共に固定具の挿通孔を設ける部位を確保するための垂直板部を、当該サブビームの左右両側板部から折曲連設して互いに重ね合わせた重なり板部によって構成しているので、別板材の溶接や、サブビーム全体をプレス加工により三次元構造体に一体成形する場合と比較して、容易且つ安価に実施することが出来る。しかも、１本のボルトナットなどの固定具によりサブビーム端部をメインビーム側に締結するものでありながら、当該サブビームの左右両側板部を互いに連結一体化することにもなるので、地震発生時などにおいてサブビームが捩じれようとしたとき、その捩じれを、前記重なり板部と固定具により確実に阻止させることが出来る。
【０００８】
尚、全長にわたって下側解放の門形断面構造のサブビームは、荷重に対する曲げ強度を大きくするために、単なる門形ではなく、その両側板部(5,6)の下側辺から内向き又は外向きに水平張出し板部(8a,8b)を折曲連設させることが出来るが、その門形断面における上端部を、上窄まりの台形部(9)に形成させることにより、曲げ強度を増大させることが出来るだけでなく、支持する荷を間口方向（メインビームの長さ方向）に横ずらししたときにサブビームの断面変形を効果的に防止することが出来る。この場合、サブビーム(4)の前記突出部(10,11)は、その高さの中間位置に、当該サブビーム(4)の前記台形部(9)の下端のサブビーム長さ方向に沿った折曲部(5c,6c)を含むように形成させることにより、サブビーム端部の左右一対の突出部の曲げ強度も増大させ、耐荷重性能を高めることが出来る。
【０００９】
尚、メインビーム(3a,3b)は、前記水平板部(16b)と垂直板部(16a)を備えておりさえすれば、如何なる断面形状のものでも良いが、前記水平板部(16b)上に支持されるサブビーム(4)の前記突出部(10,11)の上に被さる天板部(14)を備えた構造とし、この天板部(14)と前記水平板部(16b)との間にサブビーム(4)の前記突出部(10,11)を内側から差し込み可能に構成して、メインビーム(3a,3b)の前記垂直板部(16a)とサブビーム(4)の前記重なり板部(12)とが前記固定具（ボルトナット(20,21)）により締結されたとき、サブビーム(4)の前記突出部(10,11)上にメインビーム(3a,3b)の前記天板部(7)の先端部(14a)が接近しているように構成するのが望ましい。
【００１０】
即ち、特許文献１にも記載されるように、メインビーム側に、サブビームの突出部を支持する水平板部と、このサブビーム側の突出部の上に被さる天板部を設けた構造は知られているが、従来のものは、サブビーム側の突出部をメインビームの前記天板部と前記水平板部との間に差し込んだ状態で、サブビーム（突出部）を下向きに降ろして係止片を係止孔に嵌合させる必要があったので、必然的に、メインビーム側の前記天板部と水平板部との間の空間高さは、サブビーム側の突出部の高さより前記係止片の高さ分だけ高くなる。従って、メインビームにサブビーム端部を支持させた状態では、サブビーム側の突出部とその上に被さる天板部との間には、前記係止片の高さ分と同等かそれ以上の高さの空間が存在することになるので、大重量の荷が誤ってメインビーム上に降ろされたときに、当該メインビームの前記天板部が大きく下向きに曲げられて変形することになるが、上記構成によれば、このときのメインビーム側の天板部の変形をサブビーム側の突出部で受けて防止することが出来る。
【図面の簡単な説明】
【００１１】
【図１】図１は、ラック全体を示す概略斜視図である。
【図２】図２Ａは、サブビームの一部切欠き側面図、図２Ｂは、同一部切欠き平面図、図２Ｃは、同左側面図、図２Ｄは、同縦断側面図である。
【図３】図３は、サブビームとメインビームとを互いに連結する前の状態で示す一部切欠き縦断側面図である。
【図４】図４Ａは、棚フレームの一部切欠き側面図、図４Ｂは、同要部の正面図である。
【図５】図５Ａは、棚フレームの要部の一部切欠き平面図、図５Ｂは、同要部の拡大横断平面図、図５Ｃは、同要部の横断平面図である。
【発明を実施するための形態】
【００１２】
図１において、１ａ〜１ｄは支柱であり、２は四隅が前記支柱１ａ〜１ｄに支持された棚フレームであって、前側左右一対の支柱１ａ，１ｂ間に架設される前側間口方向のメインビーム３ａと後ろ側左右一対の支柱１ｃ，１ｄ間に架設される後ろ側間口方向のメインビーム３ｂ、及びこれら前後一対のメインビーム３ａ，３ｂ間に奥行き方向と平行で且つ間口方向に適当間隔おきに架設される複数本のサブビーム４から構成されている。
【００１３】
各棚フレーム２の構成を詳細に説明すると、前記各サブビーム４は、図２及び図３に示すように、左右両側板部５，６と天板部７、及び左右両側板部５，６の下側辺から外側へ直角に折曲連設された水平張出し板部８ａ，８ｂから成る、全長にわたって下側解放の門形断面構造のものであって、左右両側板部５，６は、上端寄りの中間位置から下側辺までの垂直な平行側板部５ａ，６ａと、この平行側板部５ａ，６ａから上端までの内側へ斜めに傾斜した傾斜側板部５ｂ，６ｂを備え、この傾斜側板部５ｂ，６ｂと天板部７とで、上窄まりの台形部９が形成された左右対称形状のものである。
【００１４】
サブビーム４の長さ方向の両端には、左右一対の突出部１０，１１と重なり板部１２が形成されている。左右一対の突出部１０，１１は、左右両側板部５，６における平行側板部５ａ，６ａの上端寄りの中間位置から傾斜側板部５ｂ，６ｂの中間高さまでの領域をサブビーム４の長さ方向に延出させて形成したもので、中間高さ位置に、平行側板部５ａ，６ａと傾斜側板部５ｂ，６ｂとの間の折曲部５ｃ，６ｃを備え、上側辺は、サブビーム４の長さ方向と平行な水平上縁部１０ａ，１１ａと、この水平上縁部１０ａ，１１ａから先端下がりに傾斜する傾斜上縁部１０ｂ，１１ｂから形成されている。重なり板部１２は、突出部１０，１１より下側の平行側板部５ａ，６ａをサブビーム長さ方向に延出させると共に内側へ直角に折曲して互いに重ね合わせた垂直折曲板部１２ａ，１２ｂから構成され、これら垂直折曲板部１２ａ，１２ｂには、互いに同心状に重なって、サブビーム４の巾方向の中央位置に位置し且つサブビーム４の長さ方向に貫通する１つの貫通角形ボルト孔１３となる角孔１３ａ，１３ｂが設けられている。尚、この角孔１３ａ，１３ｂは、同一サイズのものでも良いが、外側に重なる垂直折曲板部１２ａ（１２ｂ）の角孔１３ａ（１３ｂ）を、内側に重なる垂直折曲板部１２ｂ（１２ａ）の角孔１３ｂ（１３ａ）よりも一回り大きくして、垂直折曲板部１２ａ，１２ｂの重なり代に多少ばらつきがあっても、少なくとも一回り小さい方の角孔１３ｂ（１３ａ）の領域は確保されるように構成するのが望ましい。
【００１５】
メインビーム３ａ，３ｂは、それぞれが１枚の帯状金属板の曲げ加工により形成された、サイズ及び断面形状が互いに同一のものであって、図３及び図４に示すように、互いに平行な天板部１４と底板部１５、これら天板部１４と底板部１５間の中央に位置するコ形突条部１６、及びこのコ形突条部１６の開放部側と天板部１４及び底板部１５とをつなぐ傾斜板部１７，１８から成る縦断面ほぼΣ形のものであり、天板部１４と底板部１５の先端側辺には、内側へ直角に折曲連設された垂直張出し板部１４ａ，１５ａが設けられている。このΣ形断面構造のメインビーム３ａ，３ｂは、そのコ形突条部１６が互いに対面する向きで支柱１ａ，１ｂ間、及び支柱１ｃ，１ｄ間に水平に架設される。そして各メインビーム３ａ，３ｂのコ形突条部１６における垂直板部１６ａには、当該メインビーム３ａ，３ｂの各サブビーム取付け位置において、サブビーム４の重なり板部１２に設けられている貫通角形ボルト孔１３と同一の貫通角形ボルト孔１９が設けられている。
【００１６】
上記構成の前後一対のメインビーム３ａ，３ｂの互いに対面するコ形突条部１６（垂直板部１６ａ）間の間隔は、サブビーム４の両端の重なり板部１２の外側面間長さとほぼ同一であり、コ形突条部１６の上側水平板部１６ｂの巾は、サブビーム４の両端の重なり板部１２からの突出部１０，１１の突出長さより少し広い。そして、当該突出部１０，１１の最大高さ（水平上縁部１０ａ，１１ａ位置での高さ）は、コ形突条部１６の上側水平板部１６ｂと、天板部１４の垂直張出し板部１４ａの下端との間の垂直間隔よりも少し低くなるように構成されている。
【００１７】
従って、支柱１ａ，１ｂ間及び支柱１ｃ，１ｄ間に水平に架設された前後一対のメインビーム３ａ，３ｂ間にサブビーム４を架設するときは、当該サブビーム４を平面視において斜めの向きで前後一対のメインビーム３ａ，３ｂ間に位置させた後、当該サブビーム４をメインビーム３ａ，３ｂに対して直角水平向きに回して、当該サブビーム４の両端の突出部１０，１１を、メインビーム３ａ，３ｂのコ形突条部１６と天板部１４の垂直張出し板部１４ａとの間に挿入させることにより、当該突出部１０，１１をコ形突条部１６の上側水平板部１６ｂ上に載置させ、前後一対のメインビーム３ａ，３ｂ間にサブビーム４を直角水平向きで仮置きすることが出来る。このとき、サブビーム４の両端の重なり板部１２とメインビーム３ａ，３ｂのコ形突条部１６の垂直板部１６ａとが隣接しているので、この両者の貫通角形ボルト孔１３，１９を互いに同心状に位置合わせし、サブビーム４の左右両側板部５，６間より角根付きボルト２０を貫通角形ボルト孔１３，１９に挿通させる。この角根付きボルト２０の角根部２０ａは、貫通角形ボルト孔１３，１９内に相対回転不能に嵌合し且つ貫通角形ボルト孔１３，１９の全体の軸心方向深さより少し短い長さを有するものである。而して、メインビーム３ａ，３ｂのコ形突条部１６内に突出した角根付きボルト２０にナット２１を螺嵌して、サブビーム４の両端の重なり板部１２とメインビーム３ａ，３ｂのコ形突条部１６の垂直板部１６ａとを互いに締結する。
【００１８】
以上のようにして前後一対のメインビーム３ａ，３ｂ間に直角水平向きに架設されたサブビーム４は、図４及び図５に示すように、その両端が突出部１０，１１を介してメインビーム３ａ，３ｂのコ形突条部１６の上側水平板部１６ｂ上に支持されており、当該サブビーム４の荷を支持する上面である天板部７がメインビーム３ａ，３ｂの天板部１４とほぼ同一高さにあり、当該天板部７の長さ方向の両端は、メインビーム３ａ，３ｂの天板部１４の垂直張出し板部１４ａに隣接する位置にある。従って、メインビーム３ａ，３ｂの天板部１４の垂直張出し板部１４ａは、その下端がサブビーム４の突出部１０，１１の付け根部にある水平上縁部１０ａ，１１ａ上に僅かな間隙を隔てて位置している。角根付きボルト２０に螺嵌されたナット２１は、当然ながら、メインビーム３ａ，３ｂのコ形突条部１６の凹溝部内で回転操作出来るサイズのものである。
【００１９】
尚、角根付きボルト２０を使用しているので、ボルト頭部に対する回り止め操作が不要な状態でナット２１の締結操作が行えるので、サブビーム４の取付け作業を容易且つ能率的に行えるが、両端それぞれが１本のボルトナットによりメインビーム３ａ，３ｂに取り付けられるサブビーム４が当該１本のボルトナットの周りに回転することは、サブビーム４の両端の左右一対の突出部１０，１１がメインビーム３ａ，３ｂのコ形突条部１６における上側水平板部１６ｂ上に支持されていることにより阻止されているので、メインビーム３ａ，３ｂ側の貫通角形ボルト孔１９は、普通の丸孔に代えても良い。更に、作業性を犠牲にするならば、角根付きボルト２０に代えて、角根部２０ａを持たない普通のボルトを使用しても良い。勿論、この場合は、貫通角形ボルト孔１３，１９に代えて普通の丸孔を設ければ良い。
【００２０】
又、本発明に係る棚フレーム２は、複数本のサブビーム４のみ、若しくはこの複数本のサブビーム４とメインビーム３ａ，３ｂを利用して、荷を支持させることが出来るものであるが、必要に応じて、棚板を載置して使用することも出来る。又、固定具として、角根付きボルト２０とナット２１を使用しているが、リベットなど、他の任意の固定具を利用することが出来る。
【産業上の利用可能性】
【００２１】
本発明に係るラックの棚フレーム構造は、前後一対の間口方向のメインビーム間に奥行き方向のサブビームを間口方向適当間隔おきに架設して成る棚フレームの構造として活用出来る。
【符号の説明】
【００２２】
１ａ〜１ｄ    支柱
２    棚フレーム
３ａ，３ｂ    メインビーム
４    サブビーム
５，６    左右両側板部
５ａ，６ａ    平行側板部
５ｂ，６ｂ    傾斜側板部
５ｃ，６ｃ    折曲部
７    天板部
８ａ，８ｂ    水平張出し板部
９    台形部
１０，１１    突出部
１０ａ，１１ａ    水平上縁部
１２    重なり板部
１２ａ，１２ｂ    垂直折曲板部
１３    貫通角形ボルト孔
１４    天板部
１４ａ，１５ａ    垂直張出し板部
１５    底板部
１６    コ形突条部
１６ａ    垂直板部
１６ｂ    上側水平板部
１７，１８    傾斜板部
１９    貫通角形ボルト孔
２０    角根付きボルト
２０ａ    角根部
２１    ナット
【図１】
2014221143.tif 000003
【図２】
2014221143.tif 000004
【図３】
2014221143.tif 000005
【図４】
2014221143.tif 000006
【図５】
2014221143.tif 000007